(57)【要約】【課題】１つの構造体で雌雄の接続体として使用でき、簡単な構造で製造が容易であり、低コストで量産できるとともに、確実な通電が可能な電線中継コネクタの提供。【解決手段】  他プラグとのコンタクト部４が、プラグ１の長さ方向中間部から先端側３において、中間壁４１とその両端から突出された第１壁４１ａと第２壁４１ｂとからなる仮想コの字形に形成され、第１壁４１ａが、中間壁４１に固定した適宜箇所を分岐起点４３として、その先端側が中間壁４１から分離されて第２壁４１ｂ側に向かって延びた傾斜壁４２とされ、第２壁４１ｂが、中間壁４１に固定した適宜箇所から先端方向に向かって突出する直線状突出壁４５と、その後端部を分岐起点４３として中間壁４１から分離されてＵ字形に弯曲された弯曲部４６と、その先端部が第１壁４１ａ側に向かって延びた傾斜壁４７とを備えた形状の雌雄同体構造とする。【選択図】図１
2015060774.tif 000002
【特許請求の範囲】
【請求項１】
合成樹脂成形ハウジングのプラグ配置空間内に挿入して使用される一枚の良導金属板製のコネクトプラグであって、
該プラグ(1)が、長手方向基端側(2)に電線接続用空間(21)を備え、先端側(3)に他プラグとのコンタクト部(4)を備え
前記電線接続用空間(21)が、電線保持用空間(211)と、電線の抜け止め用バネ金具(6)の内装空間(212)とを備え、
前記他プラグとのコンタクト部(4)が、プラグ(1)の長さ方向中間部から先端側(3)において中間壁(41)とその両端から突出された第１壁(41a)と第２壁(41b)とからなる仮想コの字形に形成され、
第１壁(41a)が、中間壁(41)に固定した適宜箇所を分岐起点(43)として、その先端側が中間壁(41)から分離されて第２壁(41b)側に向かって延びた傾斜壁(42)とされ、
第２壁(41b)が、中間壁(41)に固定した適宜箇所から先端方向に向かって突出する直線状突出壁(45)と、その後端部を分岐起点(43)として中間壁(41)から分離されてＵ字形に弯曲された弯曲部(46)と、その先端部が前記第１壁(41a)側に向かって延びた傾斜壁(47)とを備えた形状とされ、
コンタクト連結時に、２体のプラグ(1，1)どうしを左右と上下を逆向きとして、互いに突出壁(45，45)を他プラグの２つの傾斜壁(42，47)の間に挿入させて電気的接続を行うようにしてある雌雄同体構造とした電線中継用プラグ。
【請求項２】
第１壁(41a)から形成された傾斜壁(42)の先端部と、第２壁(41b)から形成された弯曲部(46)に連なる傾斜壁(47)の先端部とに、互いに離間する方向に向かって傾斜する案内傾斜部(44，48)が形成されている請求項１に記載の電線中継コネクタ。
【請求項３】
コの字形を構成する中間壁(41)の先端部分(411)が、第１壁(41a)側から形成された傾斜壁(42)と、第２壁(41b)側から形成された弯曲部(46)及び傾斜壁(47)との側方にまで延長されている請求項１又は２に記載の電線中継コネクタ。
【発明の詳細な説明】
【技術分野】
【０００１】
本発明は、２本の電線を接続して通電させるために使用する電線中継コネクタに関するものである。
【背景技術】
【０００２】
従来から、このような電線どうしを接続して通電させるための電線中継コネクタは周知であり、多種多様の形状のものが既に製造され使用されている。これらの電線中継コネクタには、家庭用電気機器類の通電ケーブル用コネクタから、通信用ケーブルのように微小で微細な電線どうしの通電に使用されるコネクタも知られている。
【０００３】
また、２つのコネクタを左右と上下とを逆向きとして互いに嵌合させて接続することができるようにしたコネクタについても既に公知となっている（特許文献１，２参照）。
【先行技術文献】
【特許文献】
【０００４】
【特許文献１】特開２０１２−１２９１２５号公報
【特許文献２】実開平３−１２７７８０号公報
【発明の概要】
【発明が解決しようとする課題】
【０００５】
本願出願人が先に開発した先行技術を掲載した前者の特許文献１には、圧接用通電溝を備えたＵ字形金具で電線と接続する圧接接続方式のジョイントコネクタが示され、その構造として、一枚の良導体金属板で成形加工されたプラグと、これを覆う絶縁樹脂ハウジングとで構成され、プラグの構造を、電線挿入側に偏った被覆電線圧接用通電金具の装着部を備え、長手方向中間部にハウジングと契合する抜け止め突起を備え、先端側にコンタクト用プラグ部を備えているものとし、該プラグ部をＵ字形の平行壁と、その先端側部分を下半壁を切除して上半壁のみとした２枚の突出壁とし、コネクタどうしの通電時には、これら２枚の突出壁と平行壁とが相互に接触して通電する構造としてある。このようにしたプラグをハウジングに内装した状態で、２つのコネクタどうしを左右と上下を逆向きとして相互に差し込むことによって、電気的接続を行う雌雄同体構造としたものが示されている。
【０００６】
したがって、ここに記載のコネクタは、プラグ部の構造が複雑ではなく、容易に製造できる構造となっているが、電線との接続において圧接接続方式の構造としてあるため、対象電線が被覆電線で、その接続が圧接接続方式のものに限定され、被覆電線を対象として使用するコネクタ以外には使用することができないという課題を有している。
【０００７】
また、後者の特許文献２にも、電線接続器の構造として、２つの接続器の上下左右を逆向きにして互いに差し込むことにより電気的接続を可能にしたものが示されている。ここに記載の接続器の構造は、端子部と刃受ばねを備えたものとし、この刃受ばねの構造を、割溝によって上下に２分されるとともに、上部刃受ばねには、摺動刃保持部材に連結されたスライド釦の操作によって出退する摺動刃が摺動可能に保持され、下部刃受ばねは、相手方の摺動刃が差し込まれることにより電気的接続が行われる刃受けばね構造とし、上部の摺動刃が挿入側の雄形端子で、下部の刃受けばねが雄形端子の受け入れ用雌形端子とされ、これらの摺動刃と刃受けばねとが摺動刃保持部材のスライド操作によって通電接続される構造としたものである。さらに、この接続器は、電気的接続を行う前記の接続部材とは別に、ロック兼ガイド部材が設けられており、スライド釦に設けられた係止片と係合して接続器どうしの抜け止め作用を果たす構造としたものである。
【０００８】
上記した構造の接続器は、接続器全体として部品点数が多く構造が複雑で、各部の製造や組み立てに時間を要し、高コストにならざるを得ないという課題を有するものとなっている。
【０００９】
そこで、本発明は、このような公知のコネクタが有している課題を解決すべく全く新しい思想に基づいて開発されたコネクタであって、１つの構造体で雌雄の接続体として使用が可能であり、構造を複雑にすることなく、製造が容易で、低コストで量産化できるとともに、確実な通電ができるようにした電線中継コネクタの提供を目的としたものである。
【課題を解決するための手段】
【００１０】
該目的を達成するために講じた本発明にいうところの電線中継コネクタの構成を、実施例において使用した符号を用いて説明すると、合成樹脂成形ハウジングのプラグ配置空間内に挿入して使用される一枚の良導金属板製のコネクトプラグであって、該プラグ１が、長手方向基端側２に電線接続用空間２１を備え、先端側３に他プラグとのコンタクト部４を備え、前記電線接続用空間２１が、電線保持用空間２１１と、電線の抜け止め用バネ金具６の内装空間２１２とを備え、前記他プラグとのコンタクト部４が、プラグ１の長さ方向中間部から先端側３において中間壁４１とその両端から突出された第１壁４１ａと第２壁４１ｂとからなる仮想コの字形に形成され、第１壁４１ａが、中間壁４１に固定した適宜箇所を分岐起点４３として、その先端側が中間壁４１から分離されて第２壁４１ｂ側に向かって延びた傾斜壁４２とされ、第２壁４１ｂが、中間壁４１に固定した適宜箇所から先端方向に向かって突出する直線状突出壁４５と、その後端部を分岐起点４３として中間壁４１から分離されてＵ字形に弯曲された弯曲部４６と、その先端部が前記第１壁４１ａ側に向かって延びた傾斜壁４７とを備えた形状とされ、コンタクト連結時に、２体のプラグ１，１どうしを左右と上下を逆向きとして、互いに突出壁４５，４５を他プラグの２つの傾斜壁４２，４７の間に挿入させて電気的接続を行うようにしたものである。
【００１１】
次に、請求項２に記載の電線中継コネクタの構成は、請求項１に記載のコネクタに従属する構成であって、第１壁４１ａから形成された揺動可能な傾斜壁４２の先端部と、第２壁４１ｂから形成された弯曲部４６に連なる傾斜壁４７の先端部とに、互いに離間する方向に向かって傾斜する案内傾斜部４４，４８が形成されている構成としたものである。
【００１２】
また、請求項３に記載の電線中継コネクタの構成は、請求項１及び２に記載のコネクタに従属する構成であって、コの字形を構成する中間壁４１の先端部４１１が、第１壁４１ａから形成した傾斜壁４２と、第２壁４１ｂから形成した弯曲部４６及び傾斜壁４７との側方にまで延長されている構成としたものである。
【発明の効果】
【００１３】
本発明にいうところの電線中継コネクタは、一枚の良導金属板で成形したコネクトプラグを、プラグ１の長手方向基端側２に電線接続用空間２１を備え、先端側３に他プラグとのコンタクト部４を備えているものとし、このコンタクト部４の構造を、プラグ１の長手方向ほぼ中間部から先端側３において仮想コの字形とし、コの字形を構成する中間壁４１の両端から対向して突出している第１壁４１ａを、分岐起点４３から先端側を中間壁４１から分離させて第２壁４１ｂ側に向かう揺動可能な傾斜壁４２とし、第２壁４１ｂを、中間壁４１と一体状態で先端方向に突出させてある突出壁４５と、その後端部を中間壁４１から分離させてＵ字形に弯曲させた弯曲部４６と、その先端側部分を一方の傾斜壁側に向かって延びる傾斜壁４７として、コンタクト時に、２体のプラグ１どうしの左右と上下を逆向きとして、先端側に向けて突出させてある突出壁４５どうしを、揺動傾斜壁４２と弯曲部４６に連なる傾斜壁４７との間に差し込み挿入させることにより電気的接続を行うようにしたものであるから、先端側への突出壁４５どうしを、他方の揺動傾斜壁４２と弯曲部４６に連なる傾斜壁４７との間に差し込むことによって弾性的に圧接挟持させることができ、確実なワンタッチ接続ができるものである。しかも、構造が簡易で複雑な部分がなく、製造が容易で量産化に適しているという独自の効果を期待できるものである。
【００１４】
請求項２に記載のコネクタにあっては、上記の効果を有するものでありながら、第１壁４１ａから形成した揺動可能な傾斜壁４２の先端部と、第２壁４１ｂから形成した弯曲部４６に連なる傾斜壁４７の先端部とに、互いに離間する方向に傾斜する案内傾斜部４４，４８を形成してあるので、両傾斜壁４２，４７間への突出壁４５の挿入操作がより一層容易にできるという効果を有する。
【００１５】
さらに、請求項３に記載のコネクタにあっては、コの字形を構成する中間壁４１の先端部４１１を、第１壁４１ａから形成した傾斜壁４２と、第２壁４１ｂから形成した弯曲部４６及び傾斜壁４７との側方にまで延長させてあるので、両傾斜壁４２，４７間への突出壁４５の挿入操作時に、該中間壁４１の先端部４１１が案内壁となり、プラグ両体１，１の接続がより一層容易にできるとともに、揺動傾斜壁４２と弯曲部４６側傾斜壁４７とにおいて、他物との接触変形を防止する効果を有する。
【図面の簡単な説明】
【００１６】
【図１】本発明のプラグの正面図。
【図２】図１に示すプラグの平面図。
【図３】図１に示すプラグの背面図。
【図４】図１に示すプラグの底面図。
【図５】図１に示すプラグの左側面図。
【図６】図１に示すプラグの右側面図。
【図７】図１に示すプラグの正面先端側からみた斜視図。
【図８】プラグどうしの接続直前状態を示す斜視図。
【図９】プラグどうしの接続状態を示す斜視図。
【図１０】２体のハウジングの外観形状を示す斜視図。
【図１１】２体のハウジングの嵌合状態を示す斜視図。
【図１２】ハウジングの正面図。
【図１３】図１２に示すハウジングの平面図。
【図１４】図１２に示すハウジングの左側面図。
【図１５】図１２に示すＡ−Ａ線断面図。
【図１６】図１３に示すＢ−Ｂ線断面図。
【発明を実施するための形態】
【００１７】
本発明にいうプラグ１を形成する良導体金属板の素材は、例えば、りん青銅のような銅系の素材が好ましい。また、表面に光沢スズメッキのような光沢膜を形成してあるものが好ましい。また、ハウジングを形成する絶縁性のある樹脂素材としては、例えば、ポリカーボネートのようなポリエステル系の樹脂が、耐衝撃性を有するとともに機械的強度に優れている点で好ましい。しかしながら、特定の素材のみに限定する意図はなく、絶縁性に優れている樹脂であればよい。
【実施例】
【００１８】
以下本発明の実施例について図面に基づいて説明する。該実施例に記載の電線中継コネクタは、プラグ金具全体を一枚のりん青銅製の金属板で成形加工したもので、例えば後に図１０乃至１４において説明するポリカーボネート製のハウジング８に内装して使用するものである。まず、プラグ１の実施例について説明する。
【００１９】
該プラグ１は、図１〜図６に示した構造を備えたもので、これを殊に、図１に基づいて説明すると、横長の形態であって、図１の左側に記載した長手方向基端側２に電線接続用空間２１を形成し、図１の右側に記載した先端側３に、他のプラグとのコンタクト部４を形成してある。
【００２０】
ハウジング８は、図１４に示すようにそれぞれの一端側に電線挿入部８８とこれに続く内奥部に個別電線の案内孔８６が設けられ、その奥に続く電線接続用空間２１は、図１６の左側部分に示したように、その内部に電線保持用空間２１１と、バネ金具６の内装用空間２１２とを備えている。この実施例に示したバネ金具６は、電線をコンタクト部４の壁面２２に向かって押圧する電線押圧バネ６１と電線の抜け方向への移動を阻止する電線抜け止めバネ６２とを備えたものとして示してある。また、図１５及び１６において、符号ＶＶＦＣとして示した電線は３線式の平形ケーブルを例示してあるが、この電線は、２線式の平形ケーブルでもよく、単線の複数ケーブルを用いてもよいことは言うまでもない。また、符号ｃは、絶縁被覆を剥離した導線を示している。
【００２１】
前記コンタクト部４は、図１乃至４に示したように、プラグ１の長手方向ほぼ中間部２０から先端側３を、側面視コの字形を構成する中間壁４１を挟んでその両端から対向して突出する第１壁４１ａと第２壁４１ｂとからなるものとし、第１壁４１ａは、分岐起点４３から先端側が中間壁４１から分離されて第２壁４１ｂ側に向かう揺動可能な傾斜壁４２に形成され、第２壁４１ｂが、中間壁４１と一体状態の部分から先端方向に向かって突出する突出壁４５と、その後端部が、中間壁４１から分離されてＵ字形に弯曲された弯曲部４６と、その先端部が第１壁４１ａ側に向かって延びる傾斜壁４７とを備えた形状としてある。
【００２２】
さらに、これらの第１壁４１ａから形成した揺動可能な傾斜壁４２の先端部４４と、第２壁４１ｂから形成した弯曲部４６に連なる傾斜壁４７の先端部４８とを、図１のように互いに離間する方向に傾斜する形状に形成してある。このようにしておくことによって、使用時において、両傾斜壁４２，４７間への突出壁４５の挿入操作が、抵抗なく容易にできるようにしてある。
【００２３】
また、図１にみられるように、コの字形を構成する中間壁４１の先端部４１１を、第１壁４１ａから形成した傾斜壁４２と、第２壁４１ｂから形成した弯曲部４６及び傾斜壁４７との側方にまで延長させた構造としてある。この先端部４１１の存在によって、両傾斜壁４２，４７間への他プラグの突出壁４５の挿入時に、同先端部４１１が案内壁となって両プラグ１，１どうしの接続がより一層容易にできるとともに、揺動傾斜壁４２と弯曲部側傾斜壁４７との姿勢変形を防止する効果を有する。
【００２４】
このような構造としたプラグ１の外形を図７の斜視図に示す。また、２つのプラグ１，１どうしの接続直前の状態を図８に示し、これらを同図の矢印ａのように相対移動させて２つのプラグ１，１どうしを電気的に接続した状態を図９の斜視図に示す。
【００２５】
このプラグ１の使用に当たっては、前記のように、合成樹脂製ハウジング８の内部に挿入固定して絶縁保護状態として使用する。このハウジング８，８は、図１０の左側に示した差込側ハウジング８ａと同右側に示した受入側ハウジング８ｂとで構成される。同図の左側に示した差込側ハウジング８ａは、該実施例のものにあっては、３本の角筒体８１を並列形成してあるものとし、同右側に示した受入側ハウジング８ｂは、これら３本の角筒体８１を受け入れる空間を有する嵌合壁８２を備えている。これらのハウジング８ａ，８ｂは、同図１０に示した矢印ｂのように、差込側ハウジング８ａと受入側ハウジング８ｂとを相対移動させて図１１乃至１３に示すように直線状に嵌合させる。このようにして２体のハウジング８ａ，８ｂどうしを連結すると、それぞれの内部に挿入させてあるプラグ１，１どうしが、前記図９に示したように上下左右を逆向きとした形態で相互に連結される。
【００２６】
この２体のプラグ１，１どうしの接続形態は、図１５及び図１６に断面図として示した通りであり、殊に図１６における左右方向ほぼ中央部にみられるように、左側ハウジング８に内装させた左側プラグ１の上部傾斜壁４２と下部傾斜壁４７との間に、右側ハウジング８に内装させた右側プラグ１の突出壁４５が挿入され、同時に、右側ハウジング８に内装させた右側プラグ１の下部傾斜壁４２と上部傾斜壁４７との間に左側ハウジング８に内装させた左側プラグ１の突出壁４５が挿入される。このようにして左右２体のプラグ１，１どうしが通電可能な状態に接続される。
【００２７】
なお、該実施例図に示した２体のハウジング８，８は、左側ハウジング８の図において右先端側部分の角筒８１が、右側ハウジング８の図において左先端側部分の嵌合筒８２と嵌合している。また、これら左右のハウジング８，８どうしは、図１０乃至１３に示したように、門形に形成した係合体８３とその中に嵌り込むようにした突起形係止体８４との係合によって、一旦係合した後は、積極的に係合解除操作をしなければ嵌合したままの状態を維持する構造としてある。なお、符号８５は、門形係合体８３のスライド案内用凸条である。
【００２８】
繰り返すが、このような構造とした左右２体のハウジング８，８どうしを図１１乃至１６のように相対嵌合させると、ハウジング８，８内のプラグ１，１どうしは、図９のように、上下左右が逆向きとなった状態で、前記のように電気的接続が可能な状態に接続される。
【００２９】
以上に示した各図は、わかりやすくするため大きく図示してあるが、本実施例に示したプラグの大きさを参考までに例示すると、図１に示したプラグ１の左右長さは３０〜３５ｍｍ、図１０，１１に示したハウジングの左右長さは７５〜８０ｍｍ程度のものである。この大きさは接続する被覆電線の線径や通電力の大きさにより異なる。
【００３０】
以上本発明の代表的と思われる実施例について説明したが、本発明は前記の構成要件を充足し、前記の目的を達成し、前記の効果を有する範囲内において適宜に改変して実施することができるものである。
【産業上の利用可能性】
【００３１】
本発明にいうプラグを内装した一対のハウジングは、単に押し込み連結するだけでよいことから、電線どうしの接続を極めて簡単なほぼワンタッチ操作で完了することができるので、市場において大いに使用される可能性を秘めたものである。
【符号の説明】
【００３２】
１  プラグ
２  基端側
２１  電線接続用空間
２１１  電線保持用空間
２１２  バネ金具内装空間
３  プラグ先端側
４  コンタクト部
４１  中間壁
４１１  中間壁先端部分
４１ａ  第１壁
４１ｂ  第２壁
４２  傾斜壁
４３  分岐起点
４４  案内傾斜部
４５  突出壁
４６  弯曲部
４７  傾斜壁
４８  案内傾斜部
６  バネ金具
【図１】
2015060774.tif 000003
【図２】
2015060774.tif 000004
【図３】
2015060774.tif 000005
【図４】
2015060774.tif 000006
【図５】
2015060774.tif 000007
【図６】
2015060774.tif 000008
【図７】
2015060774.tif 000009
【図８】
2015060774.tif 000010
【図９】
2015060774.tif 000011
【図１０】
2015060774.tif 000012
【図１１】
2015060774.tif 000013
【図１２】
2015060774.tif 000014
【図１３】
2015060774.tif 000015
【図１４】
2015060774.tif 000016
【図１５】
2015060774.tif 000017
【図１６】
2015060774.tif 000018